(57)【要約】【課題】  ＦＭ電波を受信できない携帯電話端末を所有しているユーザーであっても、ＦＭ電波を介して告知される告知情報を取得することのできる携帯電話端末の付属品および告知システムを提供することである。【解決手段】  バッテリーパック１００は、告知情報中継部１１０と、充電部１５０と、を有している。告知情報中継部１１０は、ＦＭアンテナ１１１と、ＦＭ復調部１１２と、Ａ／Ｄコンバータ１１３と、無線送信部１１４と、を有している。スマートフォン１０００は、告知情報告知部１１００と、制御部１２００と、内蔵バッテリー１０６０と、を有している。告知情報告知部１１００は、ディスプレイ１１２０と、テキスト変換部１１２０と、無線受信部１１３０と、を有している。【選択図】図２
2014087001.tif 000002
【特許請求の範囲】
【請求項１】
携帯電話端末とは別体の携帯電話端末の付属品において、
告知情報中継部を有し、
前記告知情報中継部は、
告知情報の含まれているＦＭ電波を受信するためのＦＭアンテナと、
前記ＦＭアンテナにより受信されたＦＭ電波を復調するＦＭ復調部と、
前記ＦＭ復調部により復調されたデータをデジタル信号に変換するＡ／Ｄコンバータと前記ＦＭ復調部により復調されたデータを復号するデコーダとの少なくとも一方と、
前記Ａ／Ｄコンバータまたは前記デコーダにより変換されたデジタル信号を前記携帯電話端末に送信する送信部と、
を有すること
を特徴とする携帯電話端末の付属品。
【請求項２】
請求項１に記載の携帯電話端末の付属品において、
前記携帯電話端末の付属品は、
前記携帯電話端末の内蔵バッテリーを充電するための充電用バッテリーを有する携帯電話端末用バッテリーパックであること
を特徴とする携帯電話端末の付属品。
【請求項３】
請求項２に記載の携帯電話端末の付属品において、
前記携帯電話端末用バッテリーパックは、
前記携帯電話端末の少なくとも一部を収容するための収容部を有すること
を特徴とする携帯電話端末の付属品。
【請求項４】
請求項２または請求項３に記載の携帯電話端末の付属品において、
前記携帯電話端末用バッテリーパックを振動させるための振動発生用モーターを有し、
前記充電用バッテリーは、
前記振動発生用モーターに電力を供給するものであること
を特徴とする携帯電話端末の付属品。
【請求項５】
請求項２から請求項４までのいずれか１項に記載の携帯電話端末の付属品において、
前記Ａ／Ｄコンバータまたは前記デコーダにより変換されたデジタル信号に含まれている告知情報が緊急性を要する情報であるか否かを判断する緊急情報判断部を有すること
を特徴とする携帯電話端末の付属品。
【請求項６】
請求項２から請求項５までのいずれか１項に記載の携帯電話端末の付属品において、
前記充電用バッテリーは、
前記告知情報中継部に電力を供給するものであること
を特徴とする携帯電話端末の付属品。
【請求項７】
請求項１に記載の携帯電話端末の付属品において、
前記携帯電話端末の付属品は、
前記携帯電話端末の少なくとも一部を覆う携帯電話端末用ケースであるとともに、
前記告知情報中継部に電力を供給するバッテリーを有すること
を特徴とする携帯電話端末の付属品。
【請求項８】
請求項１から請求項７までのいずれか１項に記載の携帯電話端末の付属品において、
前記送信部は、
有線通信または無線通信によりデジタル信号を前記携帯電話端末に送信するものであること
を特徴とする携帯電話端末の付属品。
【請求項９】
告知情報を携帯電話端末のユーザーに告知する告知システムにおいて、
基地局と告知情報中継部と告知情報告知部とを有し、
前記基地局は、
告知情報の含まれているＦＭ電波を送信するためのものであり、
前記告知情報中継部は、
告知情報の含まれているＦＭ電波を受信するためのＦＭアンテナと、
前記ＦＭアンテナにより受信されたＦＭ電波を復調するＦＭ復調部と、
前記ＦＭ復調部により復調されたデータをデジタル信号に変換するＡ／Ｄコンバータと前記ＦＭ復調部により復調されたデータを復号するデコーダとの少なくとも一方と、
前記Ａ／Ｄコンバータまたは前記デコーダにより変換されたデジタル信号を前記携帯電話端末に送信する送信部と、
を有し、
前記告知情報告知部は、
デジタル信号をテキストデータもしくは画像データに変換するデータ変換部と、
前記データ変換部により変換されたテキストデータもしくは画像データを表示する表示部と、
を有すること
を特徴とする告知システム。
【発明の詳細な説明】
【技術分野】
【０００１】
本発明は、緊急地震速報等の告知情報を取得してその告知情報をユーザーに告知することのできる携帯電話端末の付属品および告知システムに関する。
【背景技術】
【０００２】
緊急地震速報や地域の情報など（以下、「告知情報」という）を地域住民らに告知する告知サービスがある。ユーザーがこれらの告知サービスを利用するためには、専用の受信端末が必要である。例えば、ラジオやテレビ（ケーブルテレビを含む）が挙げられる。
【０００３】
テレビでは、緊急地震速報以外の告知情報を受信することも可能である。テレビは、一般に屋内に設置される。そのため、ユーザーが屋外にいる場合には、ユーザーは告知情報を取得することができない。
【０００４】
一方、ラジオは一般に、携帯可能な端末である。そのため、屋外にいるユーザーであっても、緊急性を要する告知情報を得ることができる。ただし、ラジオは、音声を発信するものである。ユーザーが常にラジオ番組を継続して聞いているとは限らない。そもそも、ラジオを携帯しない人も少なくない。そのため、ユーザーが告知情報を取得できないおそれがある。
【０００５】
ユーザーが一般に携帯している受信端末として、携帯電話端末が挙げられる。携帯電話端末には、緊急地震速報を受信することが可能な機種も存在する。また、特許文献１には、放送局からの放送用情報を携帯電話端末で受信する放送用情報伝達システムが記載されている（特許文献１の図１等参照）。
【先行技術文献】
【特許文献】
【０００６】
【特許文献１】特開２００６−１３５７５７号公報
【発明の概要】
【発明が解決しようとする課題】
【０００７】
しかし、緊急地震速報を受けるだけでは、ユーザーは地震の詳細な情報を知ることができない。また、地震以外にもより局地的な災害は生じうる。そのようなより地域に密着した詳細な告知情報については、ＦＭ電波を介して放送されることが多い。しかし、ＦＭ電波を標準で受信可能な携帯電話端末は非常に限られている。つまり、ほとんどのユーザーは、ＦＭ電波を介して送信される緊急時の告知情報を携帯電話端末を介して取得することができない。とはいえ、告知情報を取得するためにのみ、ＦＭ電波を受信可能な携帯電話端末への機種変更を強いるのは現実的ではない。
【０００８】
また、災害時等には、非常に多くのユーザーがほぼ同時に情報を得ようとするのが一般的である。その場合には、通信回線の最大データ転送量を越えるおそれがある。これにより、通信障害が生じるおそれがある。また、特許文献１に記載の技術でも、通信障害が生じるおそれがあることに変わりない。送信開始要求情報や設定情報等を携帯電話装置から無線基地局に送信する必要があるからである（特許文献１の段落［００５９］−［００６３］等参照）。また、ユーザーが各ラジオ放送局からのいずれの放送用情報を取得するかを選択することとしているので（特許文献１の段落［００６０］参照）、緊急時の告知情報を、自動的に取得することは困難である。
【０００９】
本発明は、前述した従来の技術が有する問題点を解決するためになされたものである。すなわちその課題とするところは、ＦＭ電波を受信できない携帯電話端末を所有しているユーザーであっても、ＦＭ電波を介して告知される告知情報を取得することのできる携帯電話端末の付属品および告知システムを提供することである。
【課題を解決するための手段】
【００１０】
第１の態様における携帯電話端末の付属品は、携帯電話端末とは別体のものである。また、携帯電話端末の付属品は、告知情報中継部を有する。そして、告知情報中継部は、告知情報の含まれているＦＭ電波を受信するためのＦＭアンテナと、ＦＭアンテナにより受信されたＦＭ電波を復調するＦＭ復調部と、ＦＭ復調部により復調されたデータをデジタル信号に変換するＡ／ＤコンバータとＦＭ復調部により復調されたデータを復号するデコーダとの少なくとも一方と、Ａ／Ｄコンバータまたはデコーダにより変換されたデジタル信号を携帯電話端末に送信する送信部と、を有する。
【００１１】
この携帯電話端末の付属品は、携帯電話端末の本体とは別体で用いられるものである。ここで携帯電話端末の付属品は、携帯電話端末の内蔵バッテリーを充電するためのバッテリーパックや、携帯電話端末を保護するためのケースなどを含む。そのためバッテリーパックの場合には、そのバッテリーパックは、内蔵バッテリーの充電時に携帯電話端末の本体に電気的に接続される。また、ケースの場合には、そのケースは、携帯電話端末の本体に装着される。このように、携帯電話端末の付属品は、携帯電話端末の本体と一体的に用いられることがある。そして、携帯電話端末の付属品の告知情報中継部は、告知情報を受信するとともに携帯電話端末に送信する。これにより、ユーザーは、携帯電話端末から告知情報を得ることができる。
【００１２】
第２の態様における携帯電話端末の付属品は、携帯電話端末の内蔵バッテリーを充電するための充電用バッテリーを有する携帯電話端末用バッテリーパックである。この携帯電話端末用バッテリーパックを携帯しているユーザーは、告知情報をより確実に受信することができる。
【００１３】
第３の態様における携帯電話端末の付属品では、携帯電話端末用バッテリーパックは、携帯電話端末の少なくとも一部を収容するための収容部を有する。携帯電話端末用バッテリーパックは、収容部に携帯電話端末を収容した状態でその携帯電話端末を充電することができる。
【００１４】
第４の態様における携帯電話端末の付属品は、携帯電話端末用バッテリーパックを振動させるための振動発生用モーターを有する。そして、充電用バッテリーは、振動発生用モーターに電力を供給するものである。そのため、携帯電話端末用バッテリーパック自身の振動により、ユーザーに告知情報の受信を知らせることができる。
【００１５】
第５の態様における携帯電話端末の付属品は、Ａ／Ｄコンバータまたはデコーダにより変換されたデジタル信号に含まれている告知情報が緊急性を要する情報であるか否かを判断する緊急情報判断部を有する。緊急性のある告知情報の受信をユーザーに知らせることができる。
【００１６】
第６の態様における携帯電話端末の付属品では、充電用バッテリーは、告知情報中継部に電力を供給するものである。これにより、告知情報中継部は、継続的に告知情報を受信するとともに携帯電話端末に告知情報を送信することができる。
【００１７】
第７の態様における携帯電話端末の付属品は、携帯電話端末の少なくとも一部を覆う携帯電話端末用ケースであるとともに、告知情報中継部に電力を供給するバッテリーを有する。この携帯電話端末用ケースは、携帯電話端末を保護するとともに、告知情報を携帯電話端末に送信することができる。
【００１８】
第８の態様における携帯電話端末の付属品では、送信部は、有線通信または無線通信によりデジタル信号を携帯電話端末に送信するものである。
【００１９】
第９の態様における告知システムは、告知情報を携帯電話端末のユーザーに告知するものである。そして、告知システムは、基地局と告知情報中継部と告知情報告知部とを有する。基地局は、告知情報の含まれているＦＭ電波を送信するためのものである。また、告知情報中継部は、告知情報の含まれているＦＭ電波を受信するためのＦＭアンテナと、ＦＭアンテナにより受信されたＦＭ電波を復調するＦＭ復調部と、ＦＭ復調部により復調されたデータをデジタル信号に変換するＡ／ＤコンバータとＦＭ復調部により復調されたデータを復号するデコーダとの少なくとも一方と、Ａ／Ｄコンバータまたはデコーダにより変換されたデジタル信号を携帯電話端末に送信する送信部と、を有する。そして、告知情報告知部は、デジタル信号をテキストデータもしくは画像データに変換するデータ変換部と、データ変換部により変換されたテキストデータもしくは画像データを表示する表示部と、を有する。この告知システムは、基地局から送信される告知情報を携帯電話端末を介してユーザーに告知するシステムである。
【発明の効果】
【００２０】
本発明によれば、ＦＭ電波を受信できない携帯電話端末を所有しているユーザーであっても、ＦＭ電波を介して告知される告知情報を取得することのできる携帯電話端末の付属品および告知システムが提供されている。
【図面の簡単な説明】
【００２１】
【図１】第１の実施形態に係る告知システムを説明するための概略構成図である。
【図２】第１の実施形態に係る告知システムを説明するためのブロック図である。
【図３】第１の実施形態に係る告知システムの変形例を説明するためのブロック図（その１）である。
【図４】第１の実施形態に係る告知システムの変形例を説明するためのブロック図（その２）である。
【図５】第２の実施形態に係る告知システムを説明するためのブロック図（その１）である。
【図６】第２の実施形態に係る告知システムを説明するためのブロック図（その２）である。
【図７】第３の実施形態に係るスマートフォン用ケースを示す斜視図である。
【図８】第３の実施形態に係るスマートフォン用ケースの構成を示すブロック図である。
【発明を実施するための形態】
【００２２】
以下、本発明に係る実施形態について添付図面を参照しつつ説明する。第１の実施形態および第２の実施形態は、スマートフォン充電用バッテリーパックについて、具体的に説明したものである。第３の実施形態は、スマートフォン用ケースについて、具体的に説明したものである。ここで携帯電話端末の付属品とは、携帯電話端末の本体とは別体のものであって、携帯電話端末の機能を追加もしくは補助するためのものである。そのため、携帯電話端末の付属品は、携帯電話端末の内蔵バッテリーを充電するための携帯電話端末用バッテリーパックや、携帯電話端末を保護するための携帯電話端末用ケースなどを含む。
【００２３】
（第１の実施形態）
第１の実施形態について説明する。本実施形態における携帯電話端末の付属品は、携帯電話端末用バッテリーパックである。特に、近年普及しているスマートフォンでは、電力消費量が多い。そのため、バッテリーの充電状態が長時間持続しない。したがって、ユーザーが、交換用のバッテリーパックもしくは、内蔵バッテリーを充電するためのバッテリーパックを携帯していることが多い。例えば、ユーザーがこれらのバッテリーパックをバッグに入れて持ち歩く場合がある。本実施形態の特徴点は、ユーザーが携帯するバッテリーパックが、告知情報を受信して、その告知情報をスマートフォンに送信することである。
【００２４】
１．告知システム
本実施形態の告知システム１は、図１に示すように、基地局１０と、スマートフォン１０００と、バッテリーパック１００と、を有している。基地局１０は、告知情報をＦＭ電波により放送する告知情報送信部である。スマートフォン１０００は、ユーザーが個人単位で所有している携帯電話端末である。バッテリーパック１００は、スマートフォン１０００のバッテリーを充電するための携帯電話端末用バッテリーパックである。
【００２５】
１−１．基地局
本実施形態の基地局１０は、告知情報の含まれているアナログ信号のＦＭ電波を送信するものである。図２に告知システム１のブロック図を示す。図２に示すように、基地局１０は、ＦＭ電波送信部１１と、波形生成部１２と、を有している。基地局１０は、気象庁が発信する緊急地震速報を中継する中継局である。または、地域の情報を地域住民らに送信するためのものであってもよい。
【００２６】
１−２．バッテリーパック
図２に示すように、バッテリーパック１００は、告知情報中継部１１０と、充電部１５０と、を有している。告知情報中継部１１０は、基地局１０から送信された告知情報を受信して、その告知情報を他のデータ形式に変換して、変換済みの告知情報をスマートフォン１０００に送信するためのものである。充電部１５０は、スマートフォン１０００に内蔵されている内蔵バッテリー１０６０を充電するためのものである。すなわち、バッテリーパック本来の役割を果たすものである。
【００２７】
バッテリーパック１００の告知情報中継部１１０は、ＦＭアンテナ１１１と、ＦＭ復調部１１２と、Ａ／Ｄコンバータ１１３と、無線送信部１１４と、を有している。ＦＭアンテナ１１１は、基地局１０から送信された告知情報の含まれているＦＭ電波を受信するためのものである。ＦＭ復調部１１２は、ＦＭアンテナ１１１により受信されたＦＭ電波を復調するためのものである。Ａ／Ｄコンバータ１１３は、ＦＭ復調部１１２により復調されたアナログ形式のデータをデジタル形式の信号に変換するためのものである。無線送信部１１４は、Ａ／Ｄコンバータ１１３により変換されたデジタル形式の信号を無線通信によりスマートフォン１０００に送信するためのものである。
【００２８】
充電部１５０は、充電用バッテリー１６０を有している。充電用バッテリー１６０は、スマートフォン１０００の内蔵バッテリー１０６０を充電するための二次電池である。また、充電部１５０は、告知情報中継部１１０の各部に電力を供給するためのバッテリーをも兼ねている。そして、充電部１５０は、内蔵バッテリー１０６０の充電状態を監視しつつ内蔵バッテリー１０６０の充電を制御するためのバッテリー制御部を有していてもよい。もちろん、このバッテリー制御部は、スマートフォン１０００の内部に内蔵されていてもよい。
【００２９】
１−３．スマートフォン
図２に示すように、スマートフォン１０００は、告知情報告知部１１００と、制御部１２００と、内蔵バッテリー１０６０と、を有している。また、上記の他に、通常の電話通信を行う通信部や、その他の制御を行うその他の制御部や、その他のアプリケーションソフトウェアをインストールされた記憶部等、通常のスマートフォンが備えている各部を有している。
【００３０】
告知情報告知部１１００は、ディスプレイ１１１０と、テキスト変換部１１２０と、無線受信部１１３０と、を有している。ディスプレイ１１１０は、テキスト変換部１１２０により変換されたテキストデータを文字として表示するための表示部である。スマートフォン１０００に通常装備されているものである。そのため、ディスプレイ１１１０は、タッチパネルを兼ねている。テキスト変換部１１２０は、デジタル信号をテキストデータに変換するためのデータ変換部である。この変換後のテキストが、ユーザーに告知すべき告知情報である。無線受信部１１３０は、バッテリーパック１００の無線送信部１１４から無線通信により送信された告知情報を受信するためのものである。
【００３１】
制御部１２００は、告知情報告知部１１００の動作を制御するためのものである。また、その他の各部の動作を制御するためのものでもある。内蔵バッテリー１０６０は、スマートフォン１０００に内蔵されているバッテリーである。つまり、スマートフォン１０００の通常の動作に必要な電力を供給するための二次電池である。
【００３２】
２．告知方法
ここで、本実施形態の告知システム１による告知方法について説明する。図２に示すように、基地局１０の波形生成部１２で、送信すべき告知情報を変調した波形が生成される。そして、基地局１０のＦＭ電波送信部１１は、告知情報を含んでいるＦＭ電波を送信する。
【００３３】
ユーザーの所有するバッテリーパック１００は、このＦＭ電波を受信する。ここで、バッテリーパック１００は、例えば、ユーザーが携帯するバッグの内部にある。バッテリーパック１００は、スマートフォン１０００と通信可能な位置に配置されていれば、必ずしもバッグの内部に入れておく必要は無い。ただし、ユーザーが持ち運びできる状態にあることが好ましい。後述するように、バッテリーパック１００が、スマートフォン１０００と近距離通信を行うことができるからである。
【００３４】
次に、ＦＭ復調部１１２が、ＦＭアンテナ１１１により受信されたＦＭ電波を復調する。復調されたデータは、この段階ではアナログ信号である。次に、Ａ／Ｄコンバータ１１３は、復調されたデータをデジタル信号に変換する。無線送信部１１４は、そのデジタル信号を送信する。
【００３５】
このように、バッテリーパック１００から送信されたデジタル信号をスマートフォン１０００の無線受信部１１３０が受信する。この際の無線通信は、近距離通信である。例えば、Ｂｌｕｅｔｏｏｔｈ（登録商標）やＷｉ−Ｆｉネットワーク等を用いればよい。もちろん、これらに限らない。いずれの通信規格を用いるにしても、バッテリーパック１００とスマートフォン１０００との間の距離は、通信の範囲内であることが必要である。そのため、近距離であることが好ましい。
【００３６】
次に、テキスト変換部１１２０は、無線受信部１１３０により受信されたデジタル信号をテキストデータに変換する。そして、制御部１２００は、そのテキストデータをディスプレイ１１１０に表示させる。ユーザーは、ディスプレイに表示されたテキストにより、告知情報を得ることとなる。なお、スマートフォン１０００に告知情報の受信後の動作をさせるために、予めアプリケーションソフトウェアをインストールしておけばよい。
【００３７】
３．従来との比較
３−１．スマートフォンによる情報の取得
地震、津波、その他の重大な災害が生じた場合には、大多数の人が、同時に情報を得ようとする。そのため、通信回線が渋滞し、回線がパンクするおそれがある。また、災害により、通信回線の中継局の動作に支障をきたしている場合がある。その場合には、通常の携帯電話の通信圏内であったとしても、ユーザーは必要な情報を取得できないおそれがある。緊急時であるからこそ情報を必要としているにもかかわらず、その情報が得られないという問題点が生じる。そのため、災害による被害者が多くなるおそれがある。
【００３８】
３−２．本実施形態のメリット
本実施形態では、通常の携帯電話用通信回線を用いない点に特徴がある。ＦＭ電波を一方的に受信するため、緊急用の告知情報のみを大多数のユーザーが同時に受け取ることができる。回線がパンクするというリスクを負うことはない。また、基地局１０の設備にもよるが、通常、広範囲にいるユーザーに告知情報を告知することができる。
【００３９】
また、バッテリーパック１００は、スマートフォン１０００の内蔵バッテリー１０６０を充電するための予備の二次電池である。したがって、通常、ユーザーは、バッテリーパックを持ち歩く。そのため、ユーザーが携帯し忘れることはほとんどない。また、充電用バッテリー１６０が告知情報中継部１１０に電力を供給する。したがって、災害などの緊急時に、告知情報中継部１１０が動作しないということは非常に稀である。
【００４０】
もちろん、ユーザーは、可能であれば、スマートフォン１０００を使用することにより、必要な情報を検索することもできる。
【００４１】
また、ユーザーは、所有する携帯電話端末を、ＦＭ電波による告知情報を受信可能な機種に変更することなく、告知情報を受信することができる。
【００４２】
４．変形例
４−１．収容部
本実施形態のバッテリーパック１００に、スマートフォン１０００を収容するための収容部を設けることとしてもよい。ユーザーは、スマートフォン１０００の内蔵バッテリー１０６０を充電するときのみ、スマートフォン１０００をバッテリーパックの収容部に収容することとしてもよい。また、バッテリーパックに収容した状態のまま、ユーザーがスマートフォン１０００を携帯することとしてもよい。なお、収容部の形状は、後述する第３の実施形態のスマートフォン用ケース６００と同様であってもよい。もちろん、異なる形状であってもよい。
【００４３】
４−２．デコーダ
４−２−１．デジタル通信
本実施形態では、基地局１０は、アナログ信号によるＦＭ電波を送信することとした。しかし、基地局１０として、デジタル信号によるＦＭ電波を送信するものがあってもよい。その場合の告知システム２およびバッテリーパック２００を図３に示す。図３に示すように、告知情報中継部２１０は、Ａ／Ｄコンバータ１１３の代わりに、デコーダ２１３を有している。
【００４４】
デコーダ２１３は、ＦＭ復調部２１２により復調されたデジタル形式の信号を復号するためのものである。つまり、エンコードされたデータをデコードする。ＦＭアンテナ１１１により受信されたデジタル信号を、ＦＭ復調部２１２により復調し、復調したデジタル信号をデコーダ２１３により復号する。無線送信部１１４は、この復号されたデジタル信号をスマートフォン１０００に向けて送信する。
【００４５】
４−２−２．デジタル通信とアナログ通信との併用
多数存在する基地局１０のうち、一部の基地局１０は、アナログ信号によるＦＭ電波を送信するものであり、残部の基地局１０は、デジタル信号によるＦＭ電波を送信するものであることがある。その場合の告知システム３およびバッテリーパック３００を図４に示す。図４に示すように、告知情報中継部３１０は、Ａ／Ｄコンバータ１１３と、デコーダ２１３との双方を備えている。また、告知情報中継部３１０は、アナログ信号を復調するＦＭ復調部１１２と、デジタル信号を復調するＦＭ復調部２１２とを有している。アンテナ１１１は、アナログ信号およびデジタル信号の双方を受信するものである。ただし、告知情報中継部３１０は、アナログ信号を受信するためのアンテナとデジタル信号を受信するためのアンテナとを有することとしてもよい。
【００４６】
アナログ信号のＦＭ電波を受信した場合には、アナログ信号を復調するＦＭ復調部１１２により復調されたアナログ信号をＡ／Ｄコンバータ１１３がデジタル信号に変換する。一方、デジタル信号のＦＭ電波を受信した場合には、デジタル信号を復調するＦＭ復調部２１２により復調されたデジタル信号をデコーダ２１３が復号する。これにより、アナログ信号とデジタル信号とのいずれを用いる基地局１０からの告知情報を好適にスマートフォン１０００に送信することができる。
【００４７】
４−３．画像表示
本実施形態では、スマートフォン１０００のディスプレイ１１１０にテキストを表示させることとした。しかし、より強調するために、画像を表示させることとしてもよい。その画像情報については、基地局１０から発信することとしてもよい。または、スマートフォン１０００に、その画像情報を予め記憶させておいてもよい。その場合には、その画像情報を表示するような別のアプリケーションソフトウェアをインストールしておく必要がある。つまり、スマートフォン１０００が、告知情報に含まれる画像情報を画像イメージに変換する画像情報変換部を有している。この画像情報変換部は、デジタル信号を画像データに変換するデータ変換部である。もしくは、画像データを予めスマートフォン１０００のメモリに記憶させておき、アプリケーションソフトウェアが、その画像データを読み出してディスプレイ１１１０に表示させることとしてもよい。
【００４８】
４−４．地図表示
特に、上記の画像情報が避難場所の地図であるとよい。これにより、ユーザーは、この画像情報を見ることにより、避難場所を把握することができる。また、避難場所が複数ある場合に、告知情報に、各々の避難場所の込み具合等の情報が含まれていると、ユーザーに有益である。
【００４９】
４−５．バイブレーション機能
スマートフォン１０００が告知情報を受信したことをユーザーに知らせるために、スマートフォン１０００のバイブレーション機能を活用することとするとよい。そのときの振動モードを、メール受信等の他の振動モードと異なるように設定するとよい。
【００５０】
４−６．バッテリーの残量
また、充電用バッテリー１６０の残量をある程度残しておくこととしてもよい。つまり、電池の容量を全て、スマートフォン１０００の内蔵バッテリー１０６０を充電するために用いるのでなく、告知情報中継部１１０を動作させるために、ある程度バッテリーの容量を残しておくのである。ユーザーが複数の予備電池を所有している場合には、スマートフォン１０００の充電を、本実施形態のバッテリーパック１００以外の予備の電池から行ってもよい。
【００５１】
４−７．ソフトウェア
また、スマートフォン１０００は、告知情報を受けることにより他の地域情報を取得するためのアプリケーションソフトウェアを有しているとよい。もちろん、そのアプリケーションソフトウェアを予めインストールしておく必要がある。
【００５２】
４−８．有線通信
本実施形態では、バッテリーパック１００からのスマートフォン１０００への告知情報の通信を無線通信で行った。しかし、有線通信により行ってもよい。その場合、バッテリーパック１００とスマートフォン１０００との接続を行う配線と接続端子とが必要である。
【００５３】
５．まとめ
以上詳細に説明したように、本実施形態のバッテリーパック１００は、告知情報中継部１１０を有するものである。そのため、ＦＭ電波により送信される告知情報を受信して、その告知情報をスマートフォン１０００に送信することができる。ユーザーは、スマートフォン１０００のディスプレイ１１１０に表示されたテキストにより、告知情報を得ることができる。
【００５４】
また、本実施形態の告知システム１は、基地局１０と、告知情報中継部１１０を有するバッテリーパック１００と、告知情報告知部１１００を有するスマートフォン１０００と、を有する。そのため、基地局１０から送信された告知情報をバッテリーパック１００を介してスマートフォン１０００に受信させることができる。
【００５５】
なお、本実施例は単なる例示にすぎない。したがって当然に、その要旨を逸脱しない範囲内で種々の改良、変形が可能である。例えば、スマートフォン以外の携帯電話にも適用することができる。また、もちろん、緊急性のない告知情報を告知するために用いることもできる。
【００５６】
（第２の実施形態）
第２の実施形態について説明する。本実施形態のバッテリーパック４００は、第１の実施形態のバッテリーパック１００に、振動発生用モーター４２０を加えたものである。本実施形態の告知システム４およびバッテリーパック４００を図５に示す。
【００５７】
１．バッテリーパック
本実施形態のバッテリーパック４００は、図５に示すように、第１の実施形態のバッテリーパック１００の各構成の他に、振動発生用モーター４２０を有している。振動発生用モーター４２０は、バッテリーパック４００を振動させるバイブレーション機能を発揮するためのものである。また、バッテリーパック４００は、ＦＭアンテナ１１１が告知情報を受信した場合に、振動発生用モーター４２０を振動させる制御部を有している。そして、充電用バッテリー１６０は、振動発生用モーター４２０に電力を供給する。
【００５８】
２．告知方法
そのため、ＦＭアンテナ１１１が告知情報を受信した際に、振動発生用モーター４２０が振動する。そのため、バッテリーパック４００が振動する。ユーザーは、バッテリーパック４００の振動に気づくことにより、スマートフォン１０００が告知情報を受信したことを知ることができる。もちろん、告知情報は、バッテリーパック４００を介して、スマートフォン１０００に送信される。
【００５９】
このように、ユーザーは、通常のバイブレーション機能と区別して、緊急の事態であることを認識しやすいからである。また、仮にスマートフォン１０００のバッテリーが切れていても、告知情報があったこと自体をユーザーに知らせることができる。
【００６０】
３．変形例
３−１．緊急情報の告知
本実施形態では、告知情報を受信した場合に、バッテリーパック４００が振動することとした。この告知情報には、地震、台風、その他の自然災害のように緊急性を要する情報もあれば、緊急性を要さない地域の情報も含まれる。そのため、バッテリーパック４００が振動した場合に、ユーザーは、自然災害などの緊急情報を受信したのか否かを判断できない。その場合には、ユーザーは、スマートフォン１０００の告知情報の受信に気づいたとしても、すぐには確認しない場合がある。バッテリーパック４００が緊急情報を受信したことをユーザーに知らせることで、その告知情報の重要性をユーザーに理解させることができる。
【００６１】
この場合の告知システム５およびバッテリーパック５００を図６に示す。図６に示すように、バッテリーパック５００は、バッテリーパック４００の構成に加えて、緊急情報判断部５３０を有している。緊急情報判断部５３０は、告知情報に災害などの情報が含まれている判断するためのものである。つまり、Ａ／Ｄコンバータ１１３により変換されたデジタル信号に含まれている告知情報が緊急性を要する情報であるか否かを判断する。例えば、テキストデータに変換して、そのデータに「地震」、「台風」等の文字列が含まれているか否かを判断する。この場合には、緊急情報判断部５３０は、テキスト変換部と、「地震」、「台風」等のキーワードを記憶する記憶部と、上記のキーワードがテキストデータに含まれているか照合する照合部と、を有する。
【００６２】
３−２．スマートフォンの振動
もちろん、スマートフォン１０００をも、振動させることとしてもよい。
【００６３】
３−３．音を鳴らす
また、バッテリーパック自体に、音を発生させるようにしてもよい。
【００６４】
３−４．第１の実施形態の変形例
また、第１の実施形態の各変形例を用いることとしてもよい。
【００６５】
４．まとめ
本実施形態のバッテリーパック４００は、振動発生用モーター４２０を有している。したがって、スマートフォン１０００のバイブレーション機能に頼ることなく、バッテリーパック４００が、告知情報の受信をユーザーに告知することができる。
【００６６】
なお、本実施例は単なる例示にすぎない。したがって当然に、その要旨を逸脱しない範囲内で種々の改良、変形が可能である。例えば、スマートフォン以外の携帯電話にも適用することができる。また、もちろん、緊急性のない告知情報を告知するために用いることもできる。
【００６７】
（第３の実施形態）
第３の実施形態について説明する。本実施形態では、告知情報をスマートフォン用ケースを介して受信する。
【００６８】
１．スマートフォン用ケース
図７に、本実施形態のスマートフォン用ケース６００を示す。図７に示すように、スマートフォン用ケース６００は、スマートフォン１０００を衝撃等から保護するための携帯電話端末用ケースである。そのため、スマートフォン用ケース６００は、スマートフォン１０００を装着した状態で使用される。
【００６９】
図７に示すように、スマートフォン用ケース６００は、筐体６０１と、コネクタ６０２と、告知情報中継部６１０と、バッテリー６６０と、を有している。筐体６０１は、スマートフォン１０００の外部の少なくとも一部を覆うためのものである。そのため、図７に示すように、筐体６０１には凹部６０１ａが形成されている。そのため、凹部６０１ａは、スマートフォン１０００の外形形状に対応した形状となっている。ここで、凹部６０１ａは、スマートフォン１０００の少なくとも一部を収容する収容部である。そのため、凹部６０１ａは、スマートフォン１０００の少なくとも一部を覆っている。これにより、スマートフォン１０００に外部から加わる機械的な衝撃や電気的負荷から保護することができる。
【００７０】
告知情報中継部６１０は、第１の実施形態の告知情報中継部１１０とほぼ同様の構成である。図８に示すように、告知情報中継部６１０は、ＦＭアンテナ１１１と、ＦＭ復調部１１２と、Ａ／Ｄコンバータ１１３と、有線送信部６１４と、を有している。ここで、ＦＭアンテナ１１１と、ＦＭ復調部１１２と、Ａ／Ｄコンバータ１１３とは、第１の実施形態のものと同様である。
【００７１】
有線送信部６１４は、コネクタ６０２を介してスマートフォン１０００と情報通信を行うためのものである。もちろん、スマートフォン用ケース６００とスマートフォン１０００との間で双方向通信を行うことは可能である。
【００７２】
凹部６０１ａには、コネクタ６０２が形成されている。コネクタ６０２は、スマートフォン１０００を凹部６０１ａに装着した状態下で、スマートフォン用ケース６００と、スマートフォン１０００とを、電気的に接続するためのものである。この接続により、スマートフォン用ケース６００と、スマートフォン１０００とは、有線通信を行うことができる。また、告知情報中継部６１０は、スマートフォン１０００の内蔵バッテリー１０６０から電力の補給を受けることができる。そのため、スマートフォン１０００をスマートフォン用ケース６００に装着している間には、告知情報中継部６１０は、電力を受けて動作することができる。
【００７３】
バッテリー６６０は、告知情報中継部６１０に電力を供給するための二次電池である。そのため、適宜、バッテリー６６０を充電する必要がある。
【００７４】
２．告知方法
ＦＭアンテナ１１１は、告知情報を含んだＦＭ電波を受信する。次に、ＦＭ復調部１１２がそのＦＭ電波を復調する。次に、Ａ／Ｄコンバータがその復調済みのデータをデジタル信号に変換する。そして、有線送信部６１４が、そのデジタル信号をコネクタ６０２を介してスマートフォン１０００に送信する。
【００７５】
３．変形例
３−１．無線通信
本実施形態では、スマートフォン用ケース６００とスマートフォン１０００との通信を有線通信で行った。しかし、第１の実施形態のように、無線通信により実施することとしてもよい。
【００７６】
３−２．一次電池
本実施形態では、スマートフォン用ケース６００は、バッテリー６６０を有していることとした。しかし、このバッテリー６６０は、告知情報中継部６１０に電力を供給するためのものである。したがって、このバッテリーは、ボタン電池や乾電池等の一次電池であってもよい。この点は、第１の実施形態および第２の実施形態と異なっている。
【００７７】
４．まとめ
以上詳細に説明したように、本実施形態のスマートフォン用ケース６００は、告知情報中継部６１０を有するものである。そのため、ＦＭ電波により送信される告知情報を受信して、その告知情報をスマートフォン１０００に送信することができる。ユーザーは、スマートフォン１０００のディスプレイ１１１０に表示されたテキストにより、告知情報を得ることができる。
【００７８】
なお、本実施例は単なる例示にすぎない。したがって当然に、その要旨を逸脱しない範囲内で種々の改良、変形が可能である。例えば、スマートフォン以外の携帯電話にも適用することができる。また、もちろん、緊急性のない告知情報を告知するために用いることもできる。
【符号の説明】
【００７９】
１、２、３、４、５…告知システム
１０…基地局
１００、２００、３００、４００、５００…バッテリーパック
１１０、２１０、３１０、６１０…告知情報中継部
１１１…ＦＭアンテナ
１１２、２１２…ＦＭ復調部
１１３…Ａ／Ｄコンバータ
１１４…無線送信部
１５０…充電部
１６０…充電用バッテリー
２１３…デコーダ
６００…スマートフォン用ケース
６１４…有線送信部
１０００…スマートフォン
１１００…告知情報告知部
１１１０…ディスプレイ
１１２０…テキスト変換部
１１３０…無線受信部
１２００…制御部
１０６０…内蔵バッテリー
１３００…その他の各部
【図１】
2014087001.tif 000003
【図２】
2014087001.tif 000004
【図３】
2014087001.tif 000005
【図４】
2014087001.tif 000006
【図５】
2014087001.tif 000007
【図６】
2014087001.tif 000008
【図７】
2014087001.tif 000009
【図８】
2014087001.tif 000010